(57)【特許請求の範囲】
【請求項１】
スラブ上に立設する支持脚の脚部の上端部に設けたトッププレートの上面の対向する一対又は２対の辺に沿って床材の質量を受けるとともに軽量衝撃を吸収するための第１の弾性部を設け、床材を載設する床パネル受けを第１の弾性部の上面に配設し、トッププレートの上面の第１の弾性部よりも内側位置に第１の弾性部の沈み込み量が所定の沈み込み量以上となった際に重量衝撃を吸収する第２の弾性部を設け、トッププレートの上面の中央部に金属製のストッパを設け、第１の弾性部の上面を第２の弾性部の上面よりも上方に位置させ、ストッパの上面を第２の弾性部の上面よりも下方に位置させて成ることを特徴とする二重床の支持脚。
【請求項２】
第１の弾性部の沈み込み量が所定の沈み込み量以上となった際に床材からの衝撃を受ける支持面積を増加して第２の弾性部を構成して成ることを特徴とする請求項１記載の二重床の支持脚。
【請求項３】
第１の弾性部と第２の弾性部との材料を変えることを特徴とする請求項１又は請求項２記載の二重床の支持脚。
【請求項４】
床材の質量を受けて第１の弾性部が沈み込んでいる沈み込み位置から重量衝撃の吸収のために第２の弾性部が沈み込む最大沈み込み位置までを３ｍｍ以内とし、床材の質量を受けて第１の弾性部が沈み込んでいる第１の弾性部の沈み込み位置から第２の弾性部の沈み込み開始位置までを１．５ｍｍ以内として成ることを特徴とする請求項１乃至請求項３のいずれかに記載の二重床の支持脚。
【発明の詳細な説明】
【０００１】
【発明の属する技術分野】
本発明は、スラブ上に立設して床材を支持するための二重床の支持脚に関するものである。
【０００２】
【従来の技術】
従来からスラブ上に立設して床材を支持するための二重床の支持脚は防振性を考慮してゴムよりなる防振材を設けていた。そして、従来は衝撃−変位（ばね定数）が直線比例する防振材により衝撃を受けていたので、床衝撃音対策として防振材を柔らかくすると床の沈み込みが大きくなり、床の沈み込みを抑えるために防振材を硬くすると床衝撃音対策が十分でないという問題がある。そして、床衝撃音レベルには、スプーン落下音やスリッパ歩行時の音などを対象とした軽量床衝撃音と、子供の飛び跳ね音などを対象とした重量床衝撃音があるが、従来においては両方を良くするようにすることは困難であった。つまり、軽量床衝撃音対策としてゴムより成る防振材を軟らかくすると、重量床衝撃音の際における床の沈み込みが大きくなってしまい、また、重量衝撃の際に床の沈み込みを小さくするため防振材を硬くすると軽量床衝撃に対して効果が発揮できないという問題があった。
【０００３】
【発明が解決しようとする課題】
本発明は上記の点に鑑みてなされたものであり、防振材の衝撃−変位特性が直線的でなくなって、軽量衝撃に対して効果を発揮すると共に、重量衝撃の際の沈み込みを抑制することができる二重床の支持脚を提供することを課題とするものである。
【０００４】
【課題を解決するための手段】
上記課題を解決するために本発明に係る二重床の支持脚は、スラブ１上に立設する支持脚２の脚部７の上端部に設けたトッププレート９の上面の対向する一対又は２対の辺に沿って床材３の質量を受けるとともに軽量衝撃を吸収するための第１の弾性部５を設け、床材３を載設する床パネル受け１１を第１の弾性部５の上面に配設し、トッププレート９の上面の第１の弾性部５よりも内側位置に第１の弾性部５の沈み込み量が所定の沈み込み量以上となった際に重量衝撃を吸収する第２の弾性部６を設け、トッププレート９の上面の中央部に金属製のストッパ１０を設け、第１の弾性部５の上面を第２の弾性部６の上面よりも上方に位置させ、ストッパ１０の上面を第２の弾性部６の上面よりも下方に位置させて成ることを特徴とするものである。このような構成とすることで、衝撃−変位特性が床材３の質量を受けた状態で軽量衝撃を受けた際に第１の弾性部５により軽量衝撃を吸収する場合と、第１の弾性部５の沈み込み量が所定の沈み込み量以上となった際に重量衝撃を吸収する第２の弾性部６で重量衝撃を吸収する場合とで異ならせることができ、床衝撃音の改善と床沈み込みの抑制とを同時に図ることができ、しかも、第２の弾性部６の沈み込みが最大の沈み込み量となると床パネル受け１１がストッパ１０に当たって床材３がそれ以上沈み込まないものである。
【０００５】
また、第１の弾性部５の沈み込み量が所定の沈み込み量以上となった際に床材３からの衝撃を受ける支持面積を増加して第２の弾性部６を構成することが好ましい。このような構成とすることで、第１の弾性部５と第２の弾性部６とにおける床材３からの衝撃を受ける支持面積を調整することで、簡単な構成で軽量衝撃音対策、重量衝撃音対策を効果的に行えるものである。
【０００６】
また、第１の弾性部５と第２の弾性部６との材料を変えることが好ましい。このような構成とすることで、第１の弾性部５と第２の弾性部６との材料を選択することで、簡単な構成で軽量衝撃音対策、重量衝撃音対策を効果的に行えるものである。
【０００７】
また、床材３の質量を受けて第１の弾性部５が沈み込んでいる第１の弾性部５の沈み込み位置から重量衝撃の吸収のために第２の弾性部６が沈み込む最大沈み込み位置までを３ｍｍ以内とし、床材３の質量を受けて第１の弾性部５が沈み込んでいる位置から第２の弾性部６の沈み込み開始位置までを１．５ｍｍ以内とすることが好ましい。このような構成とすることで、最大沈み込み量を３ｍｍとして床沈み込みを抑制しながら、この３ｍｍという範囲内で効果的に床衝撃音の改善ができるものである。
【０００８】
【発明の実施の形態】
以下、本発明を添付図面に示す実施形態に基づいて説明する。
【０００９】
図１には本発明の二重床の支持脚２を建物のスラブ１上に設置し、支持脚２により床材３を支持している状態の概略構成図が示してある。
【００１０】
支持脚２は金属製の脚部７の下端部に金属製のスラブ設置部８を設け、脚部７の上端部に金属製のトッププレート９を設けて主体が構成してあり、トッププレート９の上面には防振材４が設けてある。防振材４は、トッププレート９の上面の対向する一対又は２対の辺に沿って設けたゴムや発泡合成樹脂製の第１の弾性部５よりなる防振材４ａと、トッププレート９の上面の各第１の弾性部５よりも内側位置に設けたゴムや発泡合成樹脂製の第２の弾性部６よりなる防振材４ｂとで構成してあり、第１の弾性部５は第２の弾性部６よりも厚くて第１の弾性部５の上面が第２の弾性部６の上面よりも上方に位置している。トッププレート９の上面の中央部には金属製のストッパ１０が設けてあり、ストッパ１０の上面は第２の弾性部６の上面よりも下方に位置している。
【００１１】
第１の弾性部５の上面には木製の床パネル受け１１が配設される。この床パネル受け１１上に床材３を載設することで、床パネル受け１１を介して第１の弾性部５が床材３の質量を受けて一定量沈み込んでいる。
【００１２】
この図１のように床材３の質量を受けて第１の弾性部５が一定量沈み込んだ状態で、床材３にスプーンが落下したり、床材３上をスリッパ歩行をしたりすると軽量衝撃が発生するが、この際に発生する軽量衝撃は上記床材３の質量を受けて一定量沈み込んでいる第１の弾性部５により吸収するようになっている。この場合、床材３の質量を受けて一定量沈み込んでいる第１の弾性部５が更に軽量衝撃により沈み込むものである。一方、子供が床材３上で飛び跳ねたりすると、重量衝撃が発生するが、この際は第１の弾性部５が所定以上沈み込んで床パネル受け１１が第２の弾性部６に当たって第２の弾性部６により重量衝撃を吸収することになる。この場合、重量衝撃により第２の弾性部６が沈み込む（同時に第１の弾性部５も所定以上沈み込む）ものであり、第２の弾性部６の沈み込みが最大の沈み込み量となると床パネル受け１１がストッパ１０に当たってそれ以上は沈み込まないようになっている。
【００１３】
図２は本発明における防振材４の荷重−変位特性を示すグラフであって、縦軸が防振材４にかかる荷重、横軸が防振材４の変位を示している。図２のグラフにおいて、Ａは床材３の質量がかかっていない変位量が０を示し、Ｂは床材３の質量による第１の弾性部５の変位量（第１の弾性部５の沈み込み量）を示し、このＢが第１の弾性部５による軽量衝撃吸収の始点である。また、Ｃは軽量衝撃を吸収する場合における第１の弾性部５の所定変位量（第１の弾性部５の所定沈み込み量）を示し、ＢからＣまでの範囲で第１の弾性部５により軽量衝撃の吸収をおこなっている。このＣは床パネル受け１１が第２の弾性部６に当たって第２の弾性部６により重量衝撃を吸収する始点であり、また、Ｄは重量衝撃を吸収する場合における第２の弾性部６の最大変位量（第２の弾性部６の最大沈み込み量）を示している。
【００１４】
ここでＡからＣまでは第１の弾性部５のみが変位するもので荷重−変位特性は直線となっており、軽量衝撃を効果的に吸収できるように第１の弾性部５の床パネル受け１１からの荷重の支持面積や材料等を調整してある。また、ＣからＤまでは主に第２の弾性部６の変位により重量衝撃を吸収する領域であり、少ない沈み込み量で重量衝撃を吸収できるように第２の弾性部６の床パネル受け１１からの荷重の支持面積や材料等を調整してある。
【００１５】
図２において、ＢからＤまでの沈み込み量（つまり、床材３の質量を受けて第１の弾性部５が沈み込んでいる第１の弾性部５の軽量衝撃吸収の始点から第２の弾性部６の最大沈み込み位置までの距離）をａとするとａは３ｍｍ以内に設定してあり、また、ＢからＣまでの沈み込み量（つまり第１の弾性部５による軽量衝撃吸収の始点から第２の弾性部６による重量衝撃吸収の始点までの所定沈み込み量）はａ／２以下（１．５ｍｍ以下）であり、好ましくはａ／３以下（１ｍｍ以下）とするのが好ましく、これにより、床衝撃音の改善と床沈み込み抑制とを実現することができるものである。
【００１６】
ところで、図１においては第１の弾性部５の沈み込み量が所定の沈み込み量以上となった際に床材３からの衝撃を受ける支持面積を増加して第２の弾性部６を構成し、第１の弾性部５と第２の弾性部６とを別体とした例を示しているが、第１の弾性部５と第２の弾性部６とが一体のもので、軽量衝撃を吸収する際の床材３からの衝撃を受ける支持面積よりも、軽量衝撃を吸収のために第１の弾性部５の沈み込み量が所定量以上となった際に床材３からの衝撃を受けて重量衝撃を吸収する際の支持面積を大きくして第２の弾性部６を構成してもよい。上記のいずれの実施形態においても、軽量衝撃吸収の際の支持面積と重量衝撃吸収の際の支持面積とを調整することで、軽量衝撃音対策、重量衝撃音対策を効果的に行って床衝撃音の改善と床沈み込み量の抑制を同時に実現することが可能となる。
【００１７】
また、第１の弾性部５と第２の弾性部６との材料を変えて軽量衝撃吸収と沈み込み量との関係を調整し、また、重量衝撃吸収と沈み込み量との関係を調整してもよく、これにより簡単な構成で軽量衝撃音対策、重量衝撃音対策を効果的に行って床衝撃音の改善と床沈み込み量の抑制を同時に実現することが可能となる。
【００１８】
【発明の効果】
上記のように本発明の請求項１記載の発明にあっては、スラブ上に立設する支持脚の脚部の上端部に設けたトッププレートの上面の対向する一対又は２対の辺に沿って床材の質量を受けるとともに軽量衝撃を吸収するための第１の弾性部を設け、床材を載設する床パネル受けを第１の弾性部の上面に配設し、トッププレートの上面の第１の弾性部よりも内側位置に第１の弾性部の沈み込み量が所定の沈み込み量以上となった際に重量衝撃を吸収する第２の弾性部を設け、トッププレートの上面の中央部に金属製のストッパを設け、第１の弾性部の上面を第２の弾性部の上面よりも上方に位置させ、ストッパの上面を第２の弾性部の上面よりも下方に位置させるので、衝撃−変位特性が床材の質量を受けた状態で軽量衝撃を受けた際に第１の弾性部により軽量衝撃を吸収する場合と、第１の弾性部の沈み込み量が所定の沈み込み量以上となった際に重量衝撃を吸収する第２の弾性部で重量衝撃を吸収する場合とで異ならせることができ、従来の防振材の衝撃−変位特性が一直線であるものに比べて、軽量衝撃吸収と沈み込み量との関係、重量衝撃吸収と沈み込み量との関係を別々に調整できて床衝撃音の改善と床沈み込みの抑制とを同時に図ることができ、しかも、第２の弾性部の沈み込みが最大の沈み込み量となると床パネル受けがストッパに当たって床材がそれ以上沈み込まないものである。
【００１９】
また、請求項２記載の発明にあっては、上記請求項１記載の発明の効果に加えて、第１の弾性部の沈み込み量が所定の沈み込み量以上となった際に床材からの衝撃を受ける支持面積を増加して第２の弾性部を構成してあるので、第１の弾性部と第２の弾性部とにおける床材からの衝撃を受ける支持面積を調整することにより、簡単な構成で軽量衝撃音対策、重量衝撃音対策を効果的に行えるものである。
【００２０】
また、請求項３記載の発明にあっては、上記請求項１又は請求項２記載の発明の効果に加えて、第１の弾性部と第２の弾性部との材料を変えるので、第１の弾性部と第２の弾性部との材料を選択することにより、簡単な構成で軽量衝撃音対策、重量衝撃音対策を効果的に行えるものである。
【００２１】
また、請求項４記載の発明にあっては、上記請求項請求項１乃至請求項３のいずかに記載の発明の効果に加えて、床材の質量を受けて第１の弾性部が沈み込んでいる第１の弾性部の沈み込み位置から重量衝撃の吸収のために第２の弾性部が沈み込む最大沈み込み位置までを３ｍｍ以内とし、床材の質量を受けて第１の弾性部が沈み込んでいる位置から第２の弾性部の沈み込み開始位置までを１．５ｍｍ以内とするので、最大沈み込み量を３ｍｍとして床沈み込みを抑制しながら、この３ｍｍというの範囲内で効果的に床衝撃音の改善が図れるものである。
【図面の簡単な説明】
【図１】本発明の二重床の支持脚を建物のスラブ上に設置し、支持脚により床材を支持している状態の概略構成図である。
【図２】同上の防振材の荷重−変位特性を示すグラフである。
【符号の説明】
１  スラブ
２  支持脚
３  床材
４  防振材
５  第１の弾性部
６  第２の弾性部
【図１】
0003835336.tif 000002
【図２】
0003835336.tif 000003